(57)【要約】【課題】住宅設備機器の機能の追加、拡張に容易に対応できる機能装置を提供する。【解決手段】機能装置は、造営面に埋設したスイッチボックス９０内に埋込配設されるゲート装置１の電力路接続口１３ａおよび情報路接続口１３ｂを介して電力線Ｌ１および情報線Ｌ２にそれぞれ接続される基本機能モジュール２ａと、基本機能モジュール２ａを介して電力線Ｌ１および情報線Ｌ２に接続される拡張機能モジュール３ａ…とで構成され、両機能モジュールとして、映像を表示する機能モジュール３ａと、音声の入出力を行う機能モジュール３ｂと、操作入力を行うための機能モジュール３ｃと、各機能モジュール３ａ〜３ｃを連携動作させることによって住宅用設備機器の動作を行わせる制御モジュールの機能を備えた機能モジュール３ａとを備える。【選択図】図１
2007174414.tif 000002
【特許請求の範囲】
【請求項１】
造営面の裏側に先行配線されて電力を供給する電力路および情報信号を伝送する情報路を構成する電線に接続されたゲート装置を介して、電力の供給と情報信号の伝達とを行う機能装置であって、前記ゲート装置に接続されて造営面の表側に配設されるとともに、前記ゲート装置を介して電力路および情報路に接続される基本機能モジュールと、前記基本機能モジュールに接続されて造営面の表側に配設されるとともに、前記基本機能モジュールを介して電力路および情報路に接続される拡張機能モジュールとで構成され、前記両機能モジュールとして、情報信号に含まれる制御信号に基づいて映像の入力又は出力の内少なくとも何れか一方の動作を行う映像モジュールと、情報信号に含まれる制御信号に基づいて音声の入力又は出力の内少なくとも何れか一方の動作を行う音声モジュールと、情報信号に含まれる制御信号に基づいて操作部からの操作入力を監視し、操作入力があると操作信号を含む情報信号を出力する操作モジュールと、前記映像モジュール、前記音声モジュールおよび前記操作モジュールを連携動作させる動作プログラムが組み込まれ、制御信号を含む情報信号を出力して映像モジュール、音声モジュールおよび操作モジュールを連携動作させることにより、全体として住宅用設備機器の動作を行わせる制御モジュールとを少なくとも設けたことを特徴とする機能装置。
【請求項２】
前記制御モジュールが、別のゲート装置に接続されている映像モジュール、音声モジュールおよび操作モジュールを連係動作させることを特徴とする請求項１記載の機能装置。
【請求項３】
前記制御モジュールが、同じゲート装置に接続されている映像モジュール、音声モジュールおよび操作モジュールを連係動作させることを特徴とする請求項１記載の機能装置。
【請求項４】
ドアホンに設けたカメラの映像を前記映像モジュールに表示させるモニタ機能、および、建物内部の別の場所に設置したインターホン又はドアホンとの間で前記音声モジュールにより内線通話を行わせる通話機能を、前記操作モジュールから出力された操作入力に基づいて実行させる内線通話設備としての動作プログラムが前記制御モジュールに組み込まれたことを特徴とする請求項１乃至３の何れかに記載の機能装置。
【請求項５】
前記機能モジュールとして、情報信号に含まれる制御信号に基づいて防犯用センサの発報信号を監視し、前記防犯用センサから発報信号が入力されると当該発報信号を含む情報信号を出力するセンサ入力モジュールを設け、前記制御モジュールに、センサ入力モジュールから発報信号を含む情報信号が入力されると、前記映像モジュール又は前記音声モジュールの内の少なくとも何れか一方により報知動作を行わせる防犯設備としての動作プログラムが組み込まれたことを特徴とする請求項１乃至４の何れかに記載の機能装置。
【請求項６】
前記機能モジュールとして、情報信号に含まれる制御信号に基づいて防災用センサの発報信号を監視し、前記防災用センサから発報信号が入力されると当該発報信号を含む情報信号を出力するセンサ入力モジュールを設け、前記制御モジュールに、センサ入力モジュールから発報信号を含む情報信号が入力されると、前記映像モジュール又は前記音声モジュールの内の少なくとも何れか一方により報知動作を行わせる防災設備としての動作プログラムが組み込まれたことを特徴とする請求項１乃至５の何れかに記載の機能装置。
【請求項７】
音声を電気信号に変換するマイクを備えた音入力モジュールと、電気信号を音声に変換するスピーカを備え、前記音入力モジュールと別体に形成された音出力モジュールとで前記音声モジュールを構成したことを特徴とする請求項１乃至６の何れかに記載の機能装置。
【請求項８】
前記基本機能モジュールおよび前記拡張機能モジュールとして、映像モジュール、音声モジュール、操作モジュールが備える機能とは異なる機能を持つ追加機能モジュールを設けたことを特徴とする請求項１乃至７の何れかに記載の機能装置。
【請求項９】
前記追加機能モジュールとして、ワイヤレス信号を用いて情報信号の送信又は受信の少なくとも何れか一方を行う無線通信モジュールを設け、前記制御モジュールに、無線通信モジュールを用いて外部との間でワイヤレス通信を行うための動作プログラムが組み込まれたことを特徴とする請求項１乃至８の何れかに記載の機能装置。
【請求項１０】
前記制御モジュールの機能を、前記映像モジュール、前記音声モジュール又は前記操作モジュールの何れかと一体に設けたことを特徴とする請求項１乃至９の何れかに記載の機能装置。
【請求項１１】
前記電線が電源供給のための電力線からなり、前記電力線を介して電力線搬送により情報信号を授受する電力線搬送通信手段を、前記ゲート装置又は前記各機能モジュールの何れかに設けたことを特徴とする請求項１乃至１０の何れかに記載の機能装置。
【発明の詳細な説明】
【技術分野】
【０００１】
本発明は、住宅設備機器としての機能を備えた機能装置に関するものである。
【背景技術】
【０００２】
従来より、住宅設備機器として、例えば壁面に固定された取付金具を用いて配設されるドアホンシステムのテレビ付ドアホン親機が提供されている（例えば、特許文献１参照）。
【特許文献１】特許第３３１９９２７号公報
【発明の開示】
【発明が解決しようとする課題】
【０００３】
上記構成のテレビ付ドアホン親機では、ドアホン装置としての機能を拡張したり、バージョンアップする場合、ドアホン親機自体をまるごと交換する必要があった。またドアホン親機に、機能拡張ユニットなどを後付けして機能を拡張できるものもあるが、当初から製品化されていた機能しか追加することはできず、拡張性に乏しかった。
【０００４】
本発明は上記問題点に鑑みて為されたものであり、その目的とするところは、住宅設備機器としての機能の追加、拡張に容易に対応できる機能装置を提供することにある。
【課題を解決するための手段】
【０００５】
上記目的を達成するために、請求項１の発明は、造営面の裏側に先行配線されて電力を供給する電力路および情報信号を伝送する情報路を構成する電線に接続されたゲート装置を介して、電力の供給と情報信号の伝達とを行う機能装置であって、ゲート装置に接続されて造営面の表側に配設されるとともに、ゲート装置を介して電力路および情報路に接続される基本機能モジュールと、基本機能モジュールに接続されて造営面の表側に配設されるとともに、基本機能モジュールを介して電力路および情報路に接続される拡張機能モジュールとで構成され、両機能モジュールとして、情報信号に含まれる制御信号に基づいて映像の入力又は出力の内少なくとも何れか一方の動作を行う映像モジュールと、情報信号に含まれる制御信号に基づいて音声の入力又は出力の内少なくとも何れか一方の動作を行う音声モジュールと、情報信号に含まれる制御信号に基づいて操作部からの操作入力を監視し、操作入力があると作信号を含む情報信号を出力する操作モジュールと、映像モジュール、音声モジュールおよび操作モジュールを連携動作させる動作プログラムが組み込まれ、制御信号を含む情報信号を出力して映像モジュール、音声モジュールおよび操作モジュールを連携動作させることにより、全体として住宅用設備機器の動作を行わせる制御モジュールとを少なくとも設けたことを特徴とする。
【０００６】
この発明によれば、機能モジュールとして映像モジュール、音声モジュール、操作モジュールを用意し、制御モジュールが、映像モジュール、音声モジュールおよび操作モジュールを連携動作させることにより、全体として住宅用設備機器の動作を行わせているので、映像モジュールや音声モジュールや操作モジュール、又は、これらの各モジュールの動作を制御する制御モジュールを追加、或いは、交換したり、制御モジュールに組み込んだ動作プログラムを更新することによって、機能の追加、拡張に容易に対応することができる。
【０００７】
請求項２の発明は、請求項１の発明において、制御モジュールが、別のゲート装置に接続されている映像モジュール、音声モジュールおよび操作モジュールを連係動作させることを特徴とする。
【０００８】
この発明によれば、制御モジュールにより、離れた場所に設置された映像モジュール、音声モジュールおよび操作モジュールを連係動作させることができる。
【０００９】
請求項３の発明は、請求項１の発明において、制御モジュールが、同じゲート装置に接続されている映像モジュール、音声モジュールおよび操作モジュールを連係動作させることを特徴とする。
【００１０】
この発明によれば、制御モジュールにより、同じ場所に設置された映像モジュール、音声モジュールおよび操作モジュールを連係動作させることができる。
【００１１】
請求項４の発明は、請求項１乃至３の発明において、ドアホンに設けたカメラの映像を映像モジュールに表示させるモニタ機能、および、建物内部の別の場所に設置したインターホン又はドアホンとの間で音声モジュールにより内線通話を行わせる通話機能を、操作モジュールから出力された操作入力に基づいて実行させる内線通話設備としての動作プログラムが制御モジュールに組み込まれたことを特徴とする。
【００１２】
この発明によれば、映像モジュールによりドアホンに設けたカメラの映像を表示させるとともに、音声モジュールにより内線通話を行わせることで、テレビ付きの内線通話設備として動作させることができる。
【００１３】
請求項５の発明は、請求項１乃至４の発明において、機能モジュールとして、情報信号に含まれる制御信号に基づいて防犯用センサの発報信号を監視し、防犯用センサから発報信号が入力されると当該発報信号を含む情報信号を出力するセンサ入力モジュールを設け、制御モジュールに、センサ入力モジュールから発報信号を含む情報信号が入力されると、映像モジュール又は音声モジュールの内の少なくとも何れか一方により報知動作を行わせる防犯設備としての動作プログラムが組み込まれたことを特徴とする。
【００１４】
この発明によれば、防犯用センサからの発報信号を情報路に出力するセンサ入力モジュールを追加することによって、防犯設備として動作させることができる。また内線通話機能に用いる機能モジュールを防犯設備として兼用した場合は、各々の設備に必要であった機能モジュールが重複して設置されるのを省くことが出来る。
【００１５】
請求項６の発明は、請求項１乃至５の発明において、機能モジュールとして、情報信号に含まれる制御信号に基づいて防災用センサの発報信号を監視し、防災用センサから発報信号が入力されると当該発報信号を含む情報信号を出力するセンサ入力モジュールを設け、制御モジュールに、センサ入力モジュールから発報信号を含む情報信号が入力されると、映像モジュール又は音声モジュールの内の少なくとも何れか一方により報知動作を行わせる防災設備としての動作プログラムが組み込まれたことを特徴とする。
【００１６】
この発明によれば、防災用センサからの発報信号を情報路に出力するセンサ入力モジュールを追加することによって、防災設備として動作させることができる。また内線通話機能に用いる機能モジュールを防災設備として兼用した場合は、各々の設備に必要であった機能モジュールが重複して設置されるのを省くことが出来る。
【００１７】
請求項７の発明は、請求項１乃至６の発明において、音声を電気信号に変換するマイクを備えた音入力モジュールと、電気信号を音声に変換するスピーカを備え、音入力モジュールと別体に形成された音出力モジュールとで音声モジュールを構成したことを特徴とする。
【００１８】
この発明によれば、音入力モジュールと音出力モジュールとを別体に形成しているので、マイクとスピーカとを離して配置することができ、音声モジュールにより音声通話を行う際にハウリングが発生するのを防止することができる。
【００１９】
請求項８の発明は、請求項１乃至７の発明において、基本機能モジュールおよび拡張機能モジュールとして、映像モジュール、音声モジュール、操作モジュールが備える機能とは異なる機能を持つ追加機能モジュールを設けたことを特徴とする。
【００２０】
この発明によれば、基本機能モジュール或いは拡張機能モジュールとして追加機能モジュールを使用することによって、新たな機能を追加したり、機能を拡張することが可能になる。
【００２１】
請求項９の発明は、請求項１乃至８の発明において、追加機能モジュールとして、ワイヤレス信号を用いて情報信号の送信又は受信の少なくとも何れか一方を行う無線通信モジュールを設け、制御モジュールに、無線通信モジュールを用いて外部との間でワイヤレス通信を行うための動作プログラムが組み込まれたことを特徴とする。
【００２２】
この発明によれば、無線通信モジュールを用いることで有線のシステムを無線のシステムに容易に拡張でき、情報路を通じて伝送される情報信号を無線信号により伝送することが可能になる。
【００２３】
請求項１０の発明は、請求項１乃至９の発明において、制御モジュールの機能を、映像モジュール、音声モジュール又は操作モジュールの何れかと一体に設けたことを特徴とする。
【００２４】
この発明によれば、映像モジュール、音声モジュール又は操作モジュールの何れかを制御モジュールと兼用することが出来る。
【００２５】
請求項１１の発明は、請求項１乃至１０の発明において、電線が電源供給のための電力線からなり、電力線を介して電力線搬送により情報信号を授受する電力線搬送通信手段を、ゲート装置又は各機能モジュールの何れかに設けたことを特徴とする。
【００２６】
この発明によれば、情報信号を伝達するための情報路を電力線で兼用しているので、電線の本数を減らして、配線施工を簡略化することができる。
【発明の効果】
【００２７】
本発明によれば、機能モジュールとして映像モジュール、音声モジュール、操作モジュールを用意し、制御モジュールが、映像モジュール、音声モジュールおよび操作モジュールを連携動作させることにより、全体として住宅用設備機器の動作を行わせているので、映像モジュールや音声モジュールや操作モジュール、又は、これらの各モジュールの動作を制御する制御モジュールを追加、或いは、交換したり、制御モジュールに組み込んだ動作プログラムを更新することによって、機能の追加、拡張に容易に対応することができる。
【発明を実施するための最良の形態】
【００２８】
以下に本発明の実施の形態を図面に基づいて説明する。
【００２９】
（実施形態１）
図１に本実施形態の機能装置を用いる配線システムのシステム構成を示す。この配線システムでは、建物内の適所において１乃至複数のスイッチボックス９０を埋込配設してあり、始端のスイッチボックス９０に対しては、屋外より配線盤６内に引き込まれ主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各スイッチボックス９０の間は壁面内に先行配線された電力線Ｌ１と情報線Ｌ２とを送り配線してある。
【００３０】
ここで、スイッチボックス９０は、例えばＪＩＳで規格化された大角形の１個モジュール寸法の埋込型配線器具を３個取り付けることができる１連の取付枠７０（図２参照）に対応して規格化されたもので、図１に示すように配線盤６又は他のスイッチボックス９０から送り配線されてくる電力線Ｌ１及び情報線Ｌ２を上部から導入するとともに、他のスイッチボックス９０へ送り配線するための電力線Ｌ１及び情報線Ｌ２を下部から導出している。なお、スイッチボックス９０には、図１及び図１５に示すように室内の天井１００に設けられるものと、壁１０１に設けられるものと、床１０２に設けられるものとがある。
【００３１】
そして、各スイッチボックス９０の内部には、図１、図２及び図９に示すゲート装置１が取付枠７０を用いて埋込配設されている。取付枠７０は矩形枠状であって、器具取付用の細長の取付窓７１を有しており、左右の枠片７２には取付窓７１の長手方向において器具取付孔７３を３組ずつ備えている。また取付枠７０の上下の枠片７４には、スイッチボックス９０に取り付けるための取付ねじ用の長孔７５や、壁を構成する石膏ボードなどに取り付けるための従来周知のはさみ金具（図示せず）が取着される取着孔７６や、前面側に後述のプレート枠８０を取り付けるためのプレートねじ用のねじ孔７７や、石膏ボードなどにタッピングねじにより直接ねじ固定するためのねじ挿通孔７８が少なくとも設けてある。また上下の枠片７４の左右両側部からはＬ字形の引掛片７９，７９が一体に突出しており、左右方向の片側から突出する引掛片７９は枠片７４の上部から延出して先端が下向きに突出し、反対側から突出する引掛片７９は枠片７４の下部から延出して先端が上向きに突出している。この取付枠７０をスイッチボックス９０に取り付ける際には、取付枠７０の上下の枠片７４に設けた長孔７５に挿通する取付ねじ（図示せず）をスイッチボックス９０のねじ孔（図示せず）に締結することで、ゲート装置１ごとスイッチボックス９０に取り付けられる。
【００３２】
ゲート装置１の器体１０は、規格化された単位寸法の埋込型配線器具を短幅方向に３個並べた大きさに相当する寸法（３個モジュール寸法）に形成されており、器体１０の左右両側面には取付枠７０の枠片７２に設けた器具取付孔７３に係止離脱自在に係止する係止爪１０ａが２組ずつ形成されている。そして、ゲート装置１の器体１０は、取付枠７０の取付窓７１から器体１０の前面を露出させた状態で取付枠７０に取り付けられている。
【００３３】
ゲート装置１では、器体１０の背面に設けた速結端子構造の端子部１１ａ，１１ｂ，１２ａ，１２ｂに、それぞれ、電力線Ｌ１、情報線Ｌ２を接続するようになっている。ここで、電力線Ｌ１が接続される端子部１１ａ，１１ｂの内、下側の端子部１１ｂに接続される電力線Ｌ１は他のスイッチボックス９０への送り配線となる（図５参照）。また、情報線Ｌ２が接続される端子部１２ａ，１２ｂの内、下側の端子部１２ｂに接続される情報線Ｌ２が他のスイッチボックス９０への送り配線となっている。
【００３４】
一方、器体１０の前面には、端子部１１ａ，１１ｂに接続される電力線Ｌ１と電気的に接続されている導電部を備えて電力線Ｌ１を外部の電力路に接続するための電力路接続口１３ａと、端子部１２ａ，１２ｂに接続される情報線Ｌ２と電気的に接続されている導電部を備えて情報線Ｌ２を外部の情報路に接続するための情報路接続口１３ｂとが設けられている。ここに、電力路接続口１３ａおよび情報路接続口１３ｂは、それぞれ、導電部の配列や開口部の形状をシステムとして定形化（規格化）してある。後述する基本機能モジュール２の背面側には、電力路接続口１３ａおよび情報路接続口１３ｂにそれぞれ対応した形態に規格化されたコネクタ２１ａ，２１ｂが形成されており、コネクタ２１ａ，２１ｂをそれぞれ接続口１３ａ，１３ｂに着脱自在に結合できるようになっている。
【００３５】
以下にゲート装置１に接続される基本機能モジュール２について図２及び図３を参照して説明する。基本機能モジュール２は扁平な直方体状のモジュール本体２０を備えており、モジュール本体２０の背面に設けたコネクタ２１ａ，２１ｂを、ゲート装置１の各接続口１３ａ，１３ｂに接続することによって、器体１０の前面側にモジュール本体２０が重ねた状態で取着される。尚、本実施形態ではモジュール本体２０の大きさを３個モジュール寸法に対応する寸法に形成しているが、モジュール本体２０およびゲート装置１の器体１０の大きさをそれぞれ２個モジュール寸法に対応する寸法に形成すれば、単位寸法の埋込型配線器具と共に取付枠７０に並設することが可能になる。
【００３６】
次に、基本機能モジュール２ａの回路構成について図９に基づいて説明する。この基本機能モジュール２ａは、後述する拡張機能モジュール３を連設して使用するために以下の構成を備えている。すなわち基本機能モジュール２ａは、コネクタ２１ａを介して接続される商用電源ＡＣを所定電圧に降圧するとともに、周波数を高周波に変換し、この高周波に変換した定圧交流電源をコア２３ａに巻装したコイル２３ｂに印加するＡＣ／ＡＣコンバータ２２ａと、低圧交流電源を整流平滑後、安定した直流電圧からなる内部回路の動作電源（＋Ｖ）を得る直流電源部２２ｂと、コネクタ２１ｂを介して接続される情報線Ｌ２を通じて情報信号の送受信を行う送受信部２４と、情報線Ｌ２を介して受信される情報信号をＥ／Ｏ変換し、発光素子ＬＥＤを通じて光信号で送出するＥ／Ｏ変換部２５ａと、後述する拡張機能モジュール３から送られてくる光信号からなる情報信号を受光素子ＰＤで受光し、Ｏ／Ｅ変換して送受信部２４に出力するＯ／Ｅ変換部２５ｂと、機能モジュールの種類（例えば制御モジュール）に対応した機能部２８と、機能部２８から送られてくる情報信号をＩ／Ｏインターフェース２７を通じて取り込み、送信先へ情報信号として送信させる処理を行う機能や、送受信部２４で受信した情報信号を取り込み、Ｉ／Ｏインターフェース２７を通じて機能部２８へ送信する機能を備えた演算処理部２６とで構成されている。
【００３７】
ここで、上述したコイル２３ｂとコア２３ａとは、基本機能モジュール２ａから拡張機能モジュール３に電力を非接触で供給するためのトランスの一次側となる電磁結合部を構成するもので、拡張機能モジュール３側に同様に設けた電磁結合部のコアにコア２３ａが磁気結合し、トランス作用によって拡張機能モジュール３に設けた電磁結合部のコイルに定圧交流電源を誘起させて電源供給を行うようになっている。なおＡＣ／ＡＣコンバータ２２ａでは、電力線Ｌ１を通じて供給される商用電源を、商用電源周波数に比べて高周波の交流電源に変換することで、電磁結合部によるトランス構成の小型化を図っている。図９ではコア２３ａとコイル２３ｂとからなる電磁結合部が１組しか示されていないが、拡張機能モジュール３は基本機能モジュール２ａの左右何れかの側、或いは、基本機能モジュール２ａの左右両側に並べて配置されるので、実際には電気的に並列な２組の電磁結合部が設けられ、モジュール本体２０の左右両側において側壁に近接する内部位置に電磁結合部が１組ずつ配置してある。ここに、各電磁結合部のコア２３ａの先端が近接配置されるモジュール本体２０の側面位置が、拡張機能モジュール３に対する磁気結合部Ｘとなっている。
【００３８】
一方、Ｅ／Ｏ変換部２５ａの発光素子ＬＥＤは、拡張機能モジュール３に対して情報信号を光信号により非接触で伝送するためのもので、連設する拡張機能モジュール３側のＯ／Ｅ変換部（図示せず）に設けた受光素子に対置される。また、Ｏ／Ｅ変換部２５ｂの受光素子ＰＤは連設する拡張機能モジュール３から光信号により伝達されてくる情報信号を受光するためのもので、連設する拡張機能モジュール３側のＥ／Ｏ変換部（図示せず）に設けた発光素子に対置される。なお、Ｅ／Ｏ変換部２５ａの発光素子ＬＥＤ、および、Ｏ／Ｅ変換部２５ｂの受光素子ＰＤも図９では１個ずつしか示されていないが、各変換部２５ａ，２５ｂには発光素子ＬＥＤおよび受光素子ＰＤを２組ずつ接続してあり、モジュール本体２０の左右両側において側壁に近接する内部位置に発光素子ＬＥＤおよび受光素子ＰＤの組を１組ずつ配置している。ここで、発光素子ＬＥＤの発光部及び受光素子ＰＤの受光部が対向するモジュール本体２０の側壁部位は光信号が透過可能なように透明部Ｙとしてある。また、モジュール本体２０の両側では、受光素子ＰＤと発光素子ＬＥＤの位置が上、下で逆になるように配置され、例えば右側では受光素子ＰＤを上、発光素子ＬＥＤを下とし、左側では受光素子ＰＤを下、発光素子ＬＥＤを上としてある。そして、電磁結合部のコア２３ａの先端部の配置位置と、受光素子ＰＤ及び発光素子ＬＥＤの配置位置の上下間隔は定形としている。
【００３９】
ここで、本実施形態では基本機能モジュール２ａの機能部２８を、図１１に示すように後述の映像モジュール３ａ、音声モジュール３ｂおよび操作モジュール３ｃを連係動作させる動作プログラムが予め格納されたＲＯＭなどの記憶部２８ａと、記憶部２８ａに格納された動作プログラムを実行して、各モジュールを連携動作させるＣＰＵ２８ｂとで構成してある。すなわち基本機能モジュール２ａが、映像モジュール３ａ、音声モジュール３ｂおよび操作モジュール３ｃの動作を制御して各モジュールを連係動作させる制御モジュールからなり、この制御モジュールが各モジュール３ａ〜３ｃを連携動作させることによって、モジュール３ａ〜３ｃの全体をインターホン装置として動作させるのである。
【００４０】
尚、本実施形態では基本機能モジュール２ａを制御モジュールで構成しているが、基本機能モジュール２の機能部２８に制御モジュール以外の機能を持たせても良く、機能部２８として映像モジュール、音声モジュール又は操作モジュールの機能を備えるものや、それ以外のスイッチやコンセントの機能を備えるものを用いても良い。例えば図１および図１５に示すように、天井１００に設けたゲート装置１に接続する基本機能モジュールとしては、照明器具の引掛プラグに対応した引掛栓刃接続部９１を持つ引掛シーリングローゼット型の機能モジュール２ｄや、人感センサ等を備えたセンサ型機能モジュール（図示せず）、更に監視カメラを備えたカメラ型機能モジュール（図示せず）、更にＢＧＭ等のスピーカＳＰを持つ機能モジュール２ｂ等がある。また壁１０１に設けたゲート装置１に接続する基本機能モジュールとしては、テレビ付きドアホン子器Ｄに伝送線を介して接続され、ドアホン子器Ｄに対して伝送線を介して給電するとともに、ドアホン子器Ｄとの間で情報信号を授受し、ドアホン子器ＤのカメラＣＡで撮影された画像データを表示するモニタＭと、ドアホン子器Ｄから送出される呼出信号に応答して通話を行うための通話釦Ｂ５とを備えた住宅用玄関番型機能モジュール２ｃや、照明器具などをオン／オフ操作するスイッチを備えた機能モジュール（図示せず）や、空調機器のコントローラ等の操作器型機能モジュール（図示せず）などがある。さらに床１０２に設けたゲート装置１に接続する基本機能モジュールとしては、電源プラグ用のコンセント部９２を備えた機能モジュール２ｅや、スピーカＳＰを備えた機能モジュール２ｂ等がある。また更に基本機能モジュール２が機能部２８を備えておらず、連設された拡張機能モジュール３に対して電力および情報信号を伝達する機能のみを備えているものでも良い。
【００４１】
基本機能モジュール２ａは以上のような構成を有しており、スイッチボックス９０に取付枠７０を用いて埋込配設されたゲート装置１の各接続口１３ａ，１３ｂに適応するコネクタ２１ａ，２１ｂを結合することで、基本機能モジュール２の電力確保と情報路の確保が同時に行え、且つ、スイッチボックス９０内への配設が行える。なおゲート装置１の各接続口１３ａ，１３ｂとコネクタ２１ａ，２１ｂの形態を定形化（規格化）しているので、基本機能モジュール２を何れのゲート装置１にも接続することができ、そのためレイアウトフリーに基本機能モジュール２を施工でき、また基本機能モジュール２の機能によって多様な配線システムを展開することができる。従って、ユーザは、好みの利用形態に応じて基本機能モジュール２を自由に施工することができ、将来的に建物内部のレイアウトを変更したり、新しい基本機能モジュール２を追加したい場合にも、基本機能モジュール２の着脱のみで簡単に対応できるから、基本機能モジュール２の取替性が向上する。
【００４２】
次に、基本機能モジュール２ａに連設され、基本機能モジュール２ａから電力供給を受けて動作する拡張機能モジュール３について説明する。拡張機能モジュール３としては、様々な機能を有するものが用意されているが、基本的には図７及び図８に示すように、モジュール本体３０，３０’の高さ寸法を埋込型配線器具の３個モジュール寸法に規格化するとともに、横幅寸法を１個モジュール寸法の整数倍に規格化し、またモジュール本体３０，３０’の両側面の形状は基本機能モジュール２の側面と同一形状とし、さらに背面を図５に示すように平坦な面に形成し、造営面に沿って配設できるようにしてある。モジュール本体３０，３０’の上下位置には、取付枠７０の枠片７４と同様の枠片３１，３１’を一体に形成してあり、各枠片３１，３１’の挿通孔３２に通したタッピングねじにより壁を構成する石膏ボードなどにモジュール本体３０，３０’を直接ねじ固定することができる。なお各枠片３１，３１’には、前面側に後述のプレート枠８０を取り付けるためのプレートねじ用のねじ孔３３が設けてある。また各枠片３１，３１’の左右両側部からはＬ字形の引掛片３４，３４が一体に突出しており、左右方向の片側から突出する引掛片３４は枠片３１，３１’の上部から延出して先端が下向きに突出し、反対側から突出する引掛片３４は枠片３１，３１’の下部から延出して先端が上向きに突出している。而して、機能モジュール２ａ，３ａ…を連設すると、基本機能モジュール２ａが取着された取付枠７０の引掛片７９、又は、連設された他の拡張機能モジュール３ａ…の引掛片３４と係合することによって、各機能モジュール２ａ，３ａ…のモジュール本体２０，３０，３０’が、がたつき無く取り付けられるようになっている。
【００４３】
モジュール本体３０，３０’の内部には、図１０に示すようにコア２３ａおよびコイル２３ｂからなる電磁結合部を２組備えて、モジュール本体３０，３０’の左右両側部において側壁に近接する内部位置に配置するとともに、夫々のコイル２３ｂを電気的に接続し、片側の電磁結合部が隣接する基本機能モジュール２ａ又は拡張機能モジュール３の電磁結合部と電磁結合して電力を受け取る側（二次側）となると、他方の電磁結合部が電力供給側（一次側）となるようになっている。これらの電磁結合部を構成するコア２３ａの先端が近接配置されるモジュール本体３０，３０’の側面位置が磁気結合部Ｘとなる。また両電磁結合部のコイル２３ｂ，２３ｂ間を接続する線路には直流電源部２３を接続し、内部回路の動作電源＋Ｖを得るようになっている。
【００４４】
更に情報信号を授受するために、モジュール本体３０，３０’内には連設する基本機能モジュール２ａ又は拡張機能モジュール３から送られてくる光信号からなる情報信号を受光素子ＰＤにて受光し電気的な信号に変換するＯ／Ｅ変換部２５ｂと、電気信号からなる情報信号を隣接する基本機能モジュール２ａ又は拡張機能モジュール３へ光信号からなる情報信号として発光素子ＬＥＤにより送り出すためのＥ／Ｏ変換部２５ａと、Ｏ／Ｅ変換部２５ｂからの電気信号からなる情報信号を受け取るとともに、電気信号からなる情報信号をＥ／Ｏ変換部２５ａへ送り出す情報信号送受信部２５とからなる情報信号送受信手段を二組設け、一方の発光素子ＬＥＤと受光素子ＰＤをモジュール本体３０，３０’の左側側壁近傍の内部に、また他方の発光素子ＬＥＤと受光素子ＰＤをモジュール本体３０，３０’の右側側壁近傍の内部に配置してある。ここで、左側に配置される発光素子ＬＥＤの位置は受光素子ＰＤの下側に、また右側に配置される発光素子ＬＥＤの位置は受光素子ＰＤの上側に夫々を配置してある。而して、左側に連接される基本機能モジュール２ａ又は拡張機能モジュール３の右側側壁に近接配置された発光素子ＬＥＤ、受光素子ＰＤに、当該モジュールの左側に配置した受光素子ＰＤ、発光素子ＬＥＤが夫々対向し、また右側に連接される基本機能モジュール２ａ又は拡張機能モジュール３の左側側壁に近接配置された発光素子ＬＥＤ、受光素子ＰＤに、当該モジュールの右側に配置した受光素子ＰＤ、発光素子ＬＥＤが夫々対向するようになっている。なお発光素子ＬＥＤ、受光素子ＰＤが対向しているモジュール本体３０，３０’の側壁は光信号が透過できるように基本機能モジュール２ａと同様に透明部Ｙとなっている。
【００４５】
そして、両側の情報信号送受信部２５，２５間をモジュール本体３０，３０’内において、双方向の信号ライン２９で接続して、両側に隣接する基本機能モジュール２ａ又は拡張機能モジュール３に対して情報信号を中継できるようになっている。
【００４６】
またモジュール本体３０，３０’内には、信号ライン２９上の情報信号を受信するとともに、信号ライン２９上に情報信号を送出する送受信部２４と、この送受信部２４で受信される情報信号からデータを取り込んで処理を行うとともに、当該拡張機能モジュール３から他の拡張機能モジュール３宛にデータを送る場合のデータ生成処理を行う演算処理部２６と、Ｉ／Ｏインターフェース２７を介して演算処理部２６との間でデータの授受を行って動作する機能部２８とを設けてあり、この機能部２８の構成が拡張機能モジュール３の種類によって異なるのである。
【００４７】
ここで拡張機能モジュール３のモジュール本体３０，３０’の側面に磁気結合部Ｘ及び透明部Ｙが形成される位置は、図３で示す基本機能モジュール２ａの側面の磁気結合部Ｘ及び透明部Ｙの位置と合うように規格化され、拡張機能モジュール３同士を連結させたとき、或いは、基本機能モジュール２ａと拡張機能モジュール３とを連結させたときに面接する側面側の磁気結合部Ｘ、Ｘ同士、及び、透明部Ｙ，Ｙ同士が夫々対向するようになっている。つまり、夫々の給電手段の接続口同士、情報信号の伝達手段の接続口同士が接続された状態となる。
【００４８】
以上のような配線システムを使用するに当たっては、予め建物の適所（天井１００、壁１０１又は床１０２）に埋設してあるスイッチボックス９０に取付枠７０を介してゲート装置１を取り付けた後、造営材の裏側に先行配線されてスイッチボックス９０内に導入されている電力線Ｌ１、情報線Ｌ２をゲート装置１の端子部１１ａ，１１ｂ，１２ａ，１２ｂにそれぞれ接続する。次に、ゲート装置１の前面部にそれぞれ設けられた電力路接続口１３ａ及び情報路接続口１３ｂに対して、基本機能モジュール２ａの対応するコネクタ２１ａ，２１ｂを接続することにより、ゲート装置１の前面部を覆うようにして基本機能モジュール２ａを取り付ける。拡張機能モジュール３ａ…は基本機能モジュール２ａの露出した両側側面の一方に片側の側面を面接させ、この状態で引掛片３４，７９を互いに係合させるとともに、挿通孔３２，７８に通したタッピングねじにより石膏ボードのような造営材に直接ねじ止めする。そして、各機能モジュール２ａ，３ａ…の前面側にプレートねじを用いてプレート枠８０をねじ止めした後、プレート枠８０の前面側に化粧プレート８２を取着して、化粧プレート８２の窓孔８３から各機能モジュール２ａ，３ａ…の前面部の機能面を露出させるのである。この取付状態において、各機能モジュール２ａ，３ａ…の前面部は化粧プレート８２の前面部と略同じ高さとなる。更に先に連結した拡張機能モジュール３に別の拡張機能モジュール３を連結する場合には、対向側面を面接させ、引掛片３４同士を係合させた状態で、挿通孔３２に通したタッピングねじにより拡張機能モジュール３を造営材に固定すれば良く、機能モジュール２，３の個数に合わせてプレート枠８０および化粧プレート８２を交換すれば良い。尚、図４に示す使用例では基本機能モジュール２ａの片側のみに拡張機能モジュール３ａ…を連結しているが、基本機能モジュール２ａの両側に拡張機能モジュール３ａ…を連結しても良い。但し、基本機能モジュール２ａに連結できる拡張機能モジュール３ａ…の数はＡＣ／ＡＣコンバータ２２ａの電力供給能力などによって制限される。
【００４９】
以上のようにして配設施工が終了し、配線システムの施工が完了した後は、ゲート装置１を介して各機能モジュール２ａ，３ａ〜３ｃに電力路および情報路を接続することができ、制御モジュールとしての基本機能モジュール２ａが、各拡張機能モジュール３ａ〜３ｃを連携動作させることによって、インターホン装置としての動作を行わせることができるのである。ここにゲート装置１に接続される情報線Ｌ２は、複数種類の機能モジュール２ａ…，３ａ…に対応した情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置１を介して各機能モジュール２ａ…，３ａ…に複数種類の情報信号が伝達されることになり、インターホン機能を有する機能モジュールではインターホンに用いられる情報信号を授受するというように、各機能モジュールが自己の機能に関わる情報信号を授受することができるので、各機能モジュール２ａ…，３ａ…に多種多様な機能を持つ機能モジュールを使用できて、多機能なシステムを実現することができる。
【００５０】
次に図４に示す設置例に基づいて拡張機能モジュール３の種類別の構成を説明する。この図４の場合、制御モジュールとして機能する基本機能モジュール２ａに対して、拡張機能モジュールとして映像モジュールの機能を備える拡張機能モジュール３ａと、音声モジュールの機能を備える拡張機能モジュール３ｂと、操作モジュールの機能を備える拡張機能モジュール３ｃとを連設してあり、制御モジュールとしての基本機能モジュール２ａが、各拡張機能モジュール３ａ〜３ｃを連係動作させることによって、全体をインターホン装置として動作させている。
【００５１】
まず、映像モジュールを構成する拡張機能モジュール３ａの機能部２８は、図１２に示すように、基本機能モジュール２ａの機能部２８（ＣＰＵ部２８ａ）から情報路を介して送信される制御信号によって動作が制御され、画面の切替などの操作を行う操作スイッチＳＷａからの操作入力を監視し、操作信号をＩ／Ｏインターフェース２７を介して基本機能モジュール２ａに送信するとともに、Ｉ／Ｏインターフェース２７を介して送られてくる画像データを伸長復号して液晶表示部ＬＣＤに表示させるＣＰＵ部２８ｃを備えている。この拡張機能モジュール３ａのモジュール本体３０は、３個モジュール寸法の器体を幅方向に２個並べた大きさに形成されており、前面の略中央に液晶表示部ＬＣＤを配置するとともに、液晶表示部ＬＣＤの下側に操作スイッチＳＷａの操作釦Ｂ１を配置してある。
【００５２】
また、音声モジュールを構成する拡張機能モジュール３ｂの機能部は、図１３に示すように、基本機能モジュール２ａの機能部２８（ＣＰＵ部２８ａ）から情報路を介して送信される制御信号によって動作が制御され、マイクＭＣにより電気信号に変換された音声信号を変調し、Ｉ／Ｏインターフェース２７を介して基本機能モジュール２ａに送信するとともに、Ｉ／Ｏインターフェース２７を介して送られてくる音声信号を復調し、スピーカＳＰから出力させるＣＰＵ部２８ｄを備えている。また拡張機能モジュール３ｂは、モジュール本体３０の内部にスピーカＳＰおよびマイクＭＣを収納してあり、モジュール本体３０の前面には複数個の音孔３０ａを貫設してある。
【００５３】
さらに、操作モジュールを構成する拡張機能モジュール３ｃの機能部は、図１４に示すように基本機能モジュール２ａの機能部２８（ＣＰＵ部２８ａ）から情報路を介して送信される制御信号によって動作が制御され、通話釦スイッチＳＷｂ、呼出音量スイッチＳＷｃおよび室内呼スイッチＳＷｄからの操作入力を監視し、操作信号をＩ／０インターフェース２７を介して基本機能モジュール２ａへ送信するＣＰＵ部２８ｅを備えている。そして、この拡張機能モジュール３ｃは、モジュール本体３０の前面に通話スイッチＳＷｂ、呼出音量スイッチＳＷｃおよび室内呼スイッチＳＷｄの各操作釦Ｂ２〜Ｂ４を配置している。
【００５４】
上述のように基本機能モジュール２ａの機能部２８は、各拡張機能モジュール３ａ〜３ｃを連係動作させる制御モジュールとしての機能を備えており、来訪者が図示しないドアホン（図示せず）の呼出釦を押操作すると、このドアホンから情報線Ｌ２を介して送出された呼出信号とドアホンのカメラで撮影された画像データとが基本機能モジュール２ａの送受信部２４で受信され、Ｉ／Ｏインターフェース２７を介して機能部２８に入力される。基本機能モジュール２ａの機能部２８では、ＣＰＵ部２８ｂが呼び出し音を鳴動させる制御信号を生成して、来訪者が操作したドアホンに対して予め対応関係が設定された拡張機能モジュール３ｂ（音声モジュール）へ上記制御信号を送出させるとともに、ドアホンのカメラで撮影された画像データを対応する拡張機能モジュール３ａ（映像モジュール）に送出させる。この時、拡張機能モジュール３ｂ（音声モジュール）では、機能部２８を構成するＣＰＵ部２８ｄが、送受信部２４およびＩ／Ｏインターフェース部２７を介して呼出音を鳴動させる制御信号を受け取り、この制御信号に基づいてスピーカＳＰから呼出音を発生させる。また、拡張機能モジュール３ａ（映像モジュール）では、機能部２８を構成するＣＰＵ部２８ｃが、送受信部２４およびＩ／Ｏインターフェース部２７を介して画像データを受け取り、この画像データを伸長復号して液晶表示部ＬＣＤに表示させる。
【００５５】
次に拡張機能モジュール３ｂ（音声モジュール）のスピーカＳＰから発せられた呼出音を聞き、拡張機能モジュール３ａ（映像モジュール）の液晶表示部ＬＣＤに映し出された画像で来訪者を確認した家人が、来訪者と通話をするために拡張機能モジュール３ｃ（操作モジュール）の通話釦Ｂ２を押操作すると、ＣＰＵ部２８ｅが通話スイッチＳＷｂからの操作入力をもとに通話スイッチＳＷｂの操作を報知する情報信号を生成し、この情報信号をＩ／Ｏインタフェース部２７及び送受信部２４を介して基本機能モジュール２ａへ送信する。この情報信号を受け取った基本機能モジュール２ａの機能部２８では、ドアホンと拡張機能モジュール３ｂ（通話モジュール）との間の回線を形成するための制御信号を生成し、Ｉ／Ｏインタフェース部２７及び送受信部２４を介して対応する拡張機能モジュール３ｂ（音声モジュール）へ制御信号を送出する。拡張機能モジュール３ｂ（音声モジュール）では、機能部２８のＣＰＵ部２８ｄが、基本機能モジュール２ａからの制御信号に基づいて、マイクＭＣで電気信号に変換された音声信号を変調してドアホンに送出するとともに、ドアホンから送出された音声信号を復調してスピーカＳＰから出力させており、ドアホンとの間でインターホン通話を行うことができる。
【００５６】
なお、拡張機能モジュール３ｃ（操作モジュール）の呼出音量釦Ｂ３を押操作すると、ＣＰＵ２８ｅが、呼出音量スイッチＳＷｂからの操作入力をもとに、呼出音の音量を変化させる操作信号を生成して、この操作信号を基本機能モジュール２ａ（制御モジュール）へ送出する。この時、基本機能モジュール２ａ（制御モジュール）では、ＣＰＵ部２８ｂが、呼出音の音量を調整する制御信号を生成して、拡張機能モジュール３ｂ（音声モジュール）に送出しており、この制御信号を受け取った拡張機能モジュール３ｂでは、ＣＰＵ部２８ｄが、スピーカＳＰから出力する呼出音の音量を所望の大きさに制御するようになっている。
【００５７】
また、拡張機能モジュール３ｃ（操作モジュール）の室内呼釦Ｂ４を押操作すると、ＣＰＵ２８ｅが、室内呼スイッチＳＷｃからの操作入力をもとに、建物内の他の場所に設置されたインターホン装置を呼び出すための呼出信号を生成し、この呼出信号をＩ／Ｏインタフェース部２７及び送受信部２４を介して基本機能モジュール２ａへ送信する。この呼出信号を受け取った基本機能モジュール２ａの機能部２８では、他のインターホン装置から呼出信号を鳴動させるための制御信号を生成し、送受信部２４を介して情報線Ｌ２へ送出しており、この呼出信号に対して他のインターホン装置から応答があると、このインターホン装置と拡張機能モジュール３ｂ（通話モジュール）との間の回線を形成するための制御信号を生成し、インターホン装置および拡張機能モジュール３ｂに制御信号を送出することによって、他のインターホン装置と拡張機能モジュール３ｂとの間で室内通話を行えるようにするのである。
【００５８】
以上のように本実施形態では、ゲート装置１に接続される基本機能モジュール２ａと、当該基本機能モジュール２ａに連設される拡張機能モジュール３ａ…とで基本装置を構成するとともに、各機能モジュール２ａ，３ａ…として、映像モジュールと、音声モジュールと、操作モジュールと、上記各モジュールを連携動作させることによって内線通話設備として動作させる制御モジュールとを少なくとも備えており、映像モジュールによりドアホンに設けたカメラの映像を表示させるとともに、音声モジュールにより内線通話を行わせることで、テレビ付きの内線通話設備として動作させることができる。
【００５９】
なお本実施形態では制御モジュールたる基本機能モジュール２ａが、同じゲート装置１に接続された複数の拡張機能モジュール３ａ…を連系動作させているが（ローカル制御）、別のゲート装置１に接続された複数の拡張機能モジュール３を遠隔から連系動作しても良いし、複数のゲート装置に接続された複数の拡張機能モジュール３を遠隔から連系動作しても良い。
【００６０】
また基本機能モジュール２ａは制御モジュールの機能のみを有しているが、制御モジュールの機能を、映像モジュールを構成する拡張機能モジュール３ａ、音声モジュールを構成する拡張機能モジュール３ｂ又は操作モジュールを構成する拡張機能モジュール３ｃの何れかと一体に設けても良く、映像モジュール、音声モジュール又は操作モジュールの何れかを制御モジュールと兼用することが出来る。
【００６１】
また本実施形態では音声モジュールの機能を備える拡張機能モジュール３ｂが、スピーカＳＰおよびマイクＭＣを同一のモジュール本体３０に内蔵してあるので、スピーカＳＰとマイクＭＣとの距離が短いためにハウリングが起こりやすく、ハウリング防止のために送話状態と受話状態とを交互に切り替える音声スイッチを設けているが、音声を電気信号に変換するマイクを備えた音入力用の機能モジュール（図示せず）と、電気信号を音声に変換するスピーカＳＰを備えて音入力用の機能モジュールとは別体に形成された音出力用の機能モジュール（図示せず）とで音声モジュールを構成しても良く、マイクＭＣとスピーカＳＰとの間隔を開けて配置することで、ハウリングの発生を抑制することができる。
【００６２】
（実施形態２）
本発明の実施形態２について図１６及び図１７に基づいて説明する。上述の実施形態１では、制御モジュールとしての基本機能モジュール２ａが拡張機能モジュール３ａ〜３ｃを連携動作させることにより、機能モジュール全体で内線通話設備として動作させているが、本実施形態では、図１６に示すように、上記の拡張機能モジュール３ａ〜３ｃに加えてセンサ入力モジュールの機能を備えた拡張機能モジュール３ｄを連設してあり、制御モジュールとしての基本機能モジュール２ａが、拡張機能モジュール３ａ〜３ｄを連携動作させることにより、機能モジュール全体で防災設備としても動作させており、内線通話機能に用いる機能モジュール３ａ〜３ｃを防災設備として兼用することで、各々の設備に必要であった機能モジュールが重複して設置されるのを省くことが出来る。尚、ゲート装置１及び各機能モジュール２ａ，３ａ…の基本的な構成は実施形態１と同様であるので、共通する構成要素には同一の符号を付して、その説明は省略する。
【００６３】
拡張機能モジュール３ｄのモジュール本体３０’は、３個モジュール寸法の器体を幅方向に２個並べた大きさに形成されており、前面の略中央に熱又は煙の感知部５１を設けるとともに、感知部５１の下側に警報停止釦Ｂ６を設けてある。また、拡張機能モジュール３ｄの機能部は、図１７に示すように基本機能モジュール２ａの機能部２８（ＣＰＵ部２８ａ）から情報路を介して送信される制御信号によって動作が制御され、感知部５１（防災用センサ）からの発報信号および警報停止釦Ｂ６の操作入力を監視し、感知部５１から発報信号が入力されるか、又は、警報停止釦Ｂ６からの操作入力があると、発報信号及び操作信号をＩ／０インターフェース２７を介して基本機能モジュール２ａへ送信するＣＰＵ部２８ｆを備えている。
【００６４】
本実施形態では、制御モジュールの機能を備える基本機能モジュール２ａにおいて、機能部２８の記憶部２８ａに、センサ入力モジュールとしての拡張機能モジュール３ｄから情報路を通じて発報信号が入力されると、映像モジュールたる拡張機能モジュール３ａ又は音声モジュールたる拡張機能モジュール３ｂの内の少なくとも何れか一方により報知動作を行わせる防災設備としての動作プログラムを組み込んである。
【００６５】
すなわち、基本機能モジュール２ａの機能部２８は、各拡張機能モジュール３ａ〜３ｄを連携動作させることにより、機能モジュール全体で防災設備としての動作を行わせており、拡張機能モジュール３ｄの感知部５１が火災の発生を検知して発報信号を発生すると、拡張機能モジュール３ｄの機能部２８（ＣＰＵ部２８ｆ）が感知部５１からの発報信号をＩ／０インターフェース２７を介して基本機能モジュール２ａへ送信する。基本機能モジュール２ａの機能部２８では、ＣＰＵ部２８ｂが情報路を通じて送信された発報信号を受信すると、警報音を発生させる制御信号を生成して音声モジュールたる拡張機能モジュール３ｂに出力するとともに、火災警報を画面上に表示させる制御信号を生成して映像モジュールたる拡張機能モジュール３ａに出力する。この時、拡張機能モジュール３ｂでは、機能部２８が基本機能モジュール２ａから送出された制御信号に基づいて、スピーカＳＰから警報音を発生させることで、家人に火災発生を報知する。また拡張機能モジュール３ｃでは、機能部２８が基本機能モジュール２ａから送出された制御信号に基づいて、液晶表示部ＬＣＤに火災警報メッセージを表示させることで、家人に火災発生を報知する。
【００６６】
その後、拡張機能モジュール３ｄの警報停止釦Ｂ６が押操作されると、拡張機能モジュール３ｄの機能部２８が警報停止釦Ｂ６の操作信号をＩ／０インターフェース２７を介して基本機能モジュール２ａへ送信する。この時、基本機能モジュール２ａの機能部２８では、ＣＰＵ部２８ｂが情報路を通じて送信された操作信号を受信すると、報知動作を停止させる制御信号を拡張機能モジュール３ｂ，３ｃに出力し、拡張機能モジュール３ｂ，３ｃの機能部２８により火災の報知動作を停止させるのである。なお本実施形態では拡張機能モジュール３ｄに警報動作を停止させる釦を設けているが、操作モジュールの機能を備える拡張機能モジュール３ｃに警報停止釦を設け、この警報停止釦の操作に応じて報知動作を停止するようにしても良い。
【００６７】
（実施形態３）
本発明の実施形態３を図１８及び図１９に基づいて説明する。上述の実施形態２では、実施形態１で説明した拡張機能モジュール３ａ〜３ｃに加えて、防災センサ用のセンサ入力モジュールの機能を備えた拡張機能モジュール３ｄを連設し、制御モジュールとしての基本機能モジュール２ａが、拡張機能モジュール３ａ〜３ｄを連携動作させることにより、機能モジュール全体で防災設備として動作させているのに対して、本実施形態では拡張機能モジュール３ａ〜３ｃに加えて防犯センサ用のセンサ入力モジュールの機能を備えた拡張機能モジュール３ｅを連設し、制御モジュールとしての基本機能モジュール２ａが、拡張機能モジュール３ａ〜３ｃ、３ｅを連携動作させることにより、機能モジュール全体で防犯設備として動作させており、内線通話機能に用いる機能モジュール３ａ〜３ｃを防犯設備として兼用することで、各々の設備に必要であった機能モジュールが重複して設置されるのを省くことが出来る。尚、ゲート装置１及び各機能モジュール２ａ，３ａ…の基本的な構成は実施形態１又は２と同様であるので、共通する構成要素には同一の符号を付して、その説明は省略する。
【００６８】
拡張機能モジュール３ｅのモジュール本体３０’は、３個モジュール寸法の器体を幅方向に２個並べた大きさに形成されており、本体前面の左側には警戒状況を絵文字（ピクトサイン）で表示するサイン表示部５５が配置され、本体前面の右側には警戒の解除又はセットをそれぞれ行うための解除釦Ｂ７及びセット釦Ｂ８がそれぞれ配置されている。また、拡張機能モジュール３ｅの機能部は、図１９に示すように基本機能モジュール２ａの機能部２８（ＣＰＵ部２８ａ）から情報路を介して送信される制御信号によって動作が制御され、電気錠やクレセント錠の開閉状態を検知するセンサなどからなる防犯センサ５２の発報信号および解除釦Ｂ７、セット釦Ｂ８の操作入力を監視し、防犯センサ５２から発報信号が入力されるか、又は、解除釦Ｂ７、セット釦Ｂ８からの操作入力があると、発報信号及び操作信号をＩ／０インターフェース２７を介して基本機能モジュール２ａへ送信するＣＰＵ部２８ｇを備えている。
【００６９】
そして、本実施形態では、制御モジュールの機能を備える基本機能モジュール２ａにおいて、機能部２８の記憶部２８ａに、センサ入力モジュールとしての拡張機能モジュール３ｅから情報路を通じて発報信号が入力されると、映像モジュールたる拡張機能モジュール３ａ又は音声モジュールたる拡張機能モジュール３ｂの内の少なくとも何れか一方により報知動作を行わせる防犯設備としての動作プログラムを組み込んである。
【００７０】
すなわち、基本機能モジュール２ａの機能部２８は、各拡張機能モジュール３ａ〜３ｃ、３ｅを連携動作させることにより、機能モジュール全体で防犯設備としての動作を行わせており、拡張機能モジュール３ｄに接続された防犯センサ５２が侵入などの異常を検知して発報信号を発生すると、拡張機能モジュール３ｄの機能部２８（ＣＰＵ部２８ｆ）が防犯センサ５２からの発報信号をＩ／０インターフェース２７を介して基本機能モジュール２ａへ送信する。基本機能モジュール２ａの機能部２８では、ＣＰＵ部２８ｂが情報路を通じて送信された発報信号を受信すると、警報音を発生させる制御信号を生成して音声モジュールたる拡張機能モジュール３ｂに出力するとともに、侵入警報などの警報を画面上に表示させる制御信号を生成して映像モジュールたる拡張機能モジュール３ａに出力する。この時、拡張機能モジュール３ｂでは、機能部２８が基本機能モジュール２ａから送出された制御信号に基づいて、スピーカＳＰから警報音を発生させることで、家人に異常発生を報知する。また拡張機能モジュール３ｃでは、機能部２８が基本機能モジュール２ａから送出された制御信号に基づいて、液晶表示部ＬＣＤに侵入警報などの警報メッセージを表示させることで、家人に異常発生を報知する。
【００７１】
以上説明したように上述の各実施形態では制御モジュールとしての基本機能モジュール２ａが、映像モジュール、音声モジュール、操作モジュールなどの拡張機能モジュール３ａ…を連携動作させることによって、機能モジュール全体で住宅用設備機器（例えば内線通話装置、防災装置、防犯装置など）の動作を行わせており、映像、音声、操作といった単機能の機能モジュール３ａ…を内線通話装置、防災装置或いは防犯装置の機能モジュールとして兼用することができる。
【００７２】
なお上述の各実施形態において、情報信号を伝送する方式としては、ベースバンド伝送又はブロードバンド伝送の何れを採用しても良く、またプロトコルも何れでも良いが、音声、映像などを用いるインターホンの親機、子機との間にはＪＴ−Ｈ２３２パケットに基づいて音声・映像を相互に伝送することとし、また制御系にあっては操作側からの操作データにより１乃至複数の負荷を操作できるような１対１又は１対Ｎの対応が可能なユニキャスト或いはブロードキャストに対応する経路制御プロトコルを採用すれば良く、特に限定されるものではないので、説明は省略する。また、ゲート装置１間の使用プロトコルと、ゲート装置１に連なる機能モジュール２，３での使用プロトコルを異ならせ、例えばゲート装置１においてプロトコル変換を行うようにしても良い。
【００７３】
また、上述の各実施形態において、機能モジュール２ａ，３ａ…として、映像モジュール、音声モジュール、操作モジュールが備える機能とは異なる機能を持つ追加機能モジュールを設けても良い。追加機能モジュールとしては、例えば電波信号のようなワイヤレス信号を用いて情報信号の送信又は受信の少なくとも何れか一方を行う無線通信モジュール（図示せず）などがある。この無線通信モジュールの機能部２８は、アンテナを介して無線信号を授受する無線通信部と、無線通信部の受信した信号をＩ／Ｏインタフェース部２７を介して制御モジュールへ送信するとともに、Ｉ／Ｏインタフェース部２７を介して入力された信号を無線通信部から送信させるＣＰＵ部とで構成される。そして、制御モジュールとしての機能を備える機能モジュールには、無線通信モジュールを用いて外部との間でワイヤレス通信を行うための動作プログラムが組み込まれており、無線通信モジュールを用いてワイヤレス通信を行えるようになっている。
【００７４】
また、上述の各実施形態ではゲート装置１と基本機能モジュール２との間において電力路、情報路の接続はコネクタ２１ａ，２１ｂ側の接触ピンが各接続口１３ａ，１３ｂの接触部に接触することで行われるようになっているが、非接触構成としても良い。
【００７５】
つまり上述した基本機能モジュール２ａが拡張機能モジュール３に非接触で電力を供給するために用いたＡＣ／ＡＣコンバータ２２ａと、コア２３ａ及びコイル２３ｂからなる電磁結合部とをゲート装置１に内蔵するとともに、情報信号の授受を非接触で行うためのＥ／Ｏ変換部２５ａおよびＯ／Ｅ変換部２５ｂをゲート装置１に内蔵させ、基本機能モジュール２側にこれに対応して磁気結合部、Ｏ／Ｅ変換部およびＥ／Ｏ変換部を設け、ゲート装置１の電力路接続口１３ａを上述の磁気結合部Ｘにより構成し、情報路接続口１３ｂを上述の透明部Ｙにより構成する。また基本機能モジュール２側にも、ゲート装置１の磁気結合部Ｘおよび透明部Ｙにそれぞれ対応して、磁気結合部Ｘと透明部Ｙとを設ける。そしてゲート装置１では、両接続口１３ａ，１３ｂを構成する磁気結合部Ｘ、透明部Ｙの形状と両者の間隔を定形化（規格化）して接続口１３ａ，１３ｂのモジュール化を図り、他方基本機能モジュール２の磁気結合部Ｘ、透明部Ｙの形状と両者の間隔を接続口１３ａ，１３ｂのそれと合わせて定形化を図れば良い。
【００７６】
また上述の各実施形態では情報路と、電力路を別にしているためゲート装置１には電力線Ｌ１と情報線Ｌ２とを夫々接続しているが、電力線搬送によって情報信号の伝送を行えば、電力路を情報路として用いることもできるため、配線を電力線Ｌ１のみとすることもできる。つまり各スイッチボックス９０での先行配線は電力線Ｌ１のみとし、これに対応してゲート装置１の端子部１２ａ，１２ｂおよび情報路接続口１３ｂを無くし、電力線用の端子部１１ａ，１１ｂおよび電力路接続口１３ａのみとする。而して、基本機能モジュール２において、図２０に示すようにコネクタ２１ａおよびゲート装置１を介して電力線Ｌ１に接続され、電力線搬送通信により情報信号を授受するＰＬＣモデム部２４ａを設けており、送受信部２４では、ＰＬＣモデム部２４ａを介して受信された情報信号をＥ／Ｏ変換部２５ａにより光信号で送信させるとともに、Ｏ／Ｅ変換部２５ｂが受光した光信号よりなる情報信号を、ＰＬＣモデム部２４ａから電力線搬送によって送信させている。また送受信部２４は、ＰＬＣモデム部２４ａを介して受信された情報信号を演算処理部２６に出力して、演算処理部２６によりデータ処理を行わせるとともに、演算処理部２６から入力された情報信号をＰＬＣモデム部２４ａからゲート装置１を介して電力線Ｌ１へ電力線搬送によって送信させている。
【００７７】
尚、ＰＬＣモデム部２４ａで採用する電力線搬送の変調方式としては広帯域スペクトラム拡散方式、マルチキャリア方式、ＯＦＤＭ方式等各種方式の何れでも良いので、ここでは特に説明はしない。また図２０に示す例では、基本機能モジュール２のＰＬＣモデム部２４ａにより電力線搬送通信で伝送された情報信号を分離し、各機能モジュール２，３間ではＥ／Ｏ変換部２５ａおよびＯ／Ｅ変換部２５ｂを用いて情報信号の授受を行っているが、各々の拡張機能モジュール３にＰＬＣモデム部を設けて、各機能モジュール５において電力線搬送通信により情報信号の授受を行うようにしても良い。
【図面の簡単な説明】
【００７８】
【図１】実施形態１の機能装置を用いた配線システムのシステム構成図である。
【図２】同上を構成する基本機能モジュールをゲート装置から外した状態の分解斜視図である。
【図３】同上の基本機能モジュールを背面側から見た外観斜視図である。
【図４】同上の使用例を示す正面図である。
【図５】同上の使用例を示す背面図である。
【図６】同上の使用例を示す側面図である。
【図７】同上の拡張機能モジュールの正面図である。
【図８】同上の別の拡張機能モジュールを示し、（ａ）は正面図、（ｂ）は側面図である。
【図９】同上の基本機能モジュールとゲート装置のブロック図である。
【図１０】同上の拡張機能モジュールのブロック図である。
【図１１】同上の機能モジュールの機能部を示す要部のブロック図である。
【図１２】同上の別の機能モジュールの機能部を示す要部のブロック図である。
【図１３】同上のまた別の機能モジュールの機能部を示す要部のブロック図である。
【図１４】同上の更に別の機能モジュールの機能部を示す要部のブロック図である。
【図１５】同上を用いた配線システムの施工例を示す説明図である。
【図１６】実施形態２の機能装置の使用例を示す正面図である。
【図１７】同上の機能モジュールの機能部を示す要部のブロック図である。
【図１８】実施形態３の機能装置の使用例を示す正面図である。
【図１９】同上の機能モジュールの機能部を示す要部のブロック図である。
【図２０】同上の別の基本機能モジュールのブロック図である。
【符号の説明】
【００７９】
１  ゲート装置
２ａ  基本機能モジュール
３ａ〜３ｃ  拡張機能モジュール
９０  スイッチボックス
Ｌ１  電力線
Ｌ２  情報線
【図１】
2007174414.tif 000003
【図２】
2007174414.tif 000004
【図３】
2007174414.tif 000005
【図４】
2007174414.tif 000006
【図５】
2007174414.tif 000007
【図６】
2007174414.tif 000008
【図７】
2007174414.tif 000009
【図８】
2007174414.tif 000010
【図９】
2007174414.tif 000011
【図１０】
2007174414.tif 000012
【図１１】
2007174414.tif 000013
【図１２】
2007174414.tif 000014
【図１３】
2007174414.tif 000015
【図１４】
2007174414.tif 000016
【図１５】
2007174414.tif 000017
【図１６】
2007174414.tif 000018
【図１７】
2007174414.tif 000019
【図１８】
2007174414.tif 000020
【図１９】
2007174414.tif 000021
【図２０】
2007174414.tif 000022